(57)【要約】【課題】一方で刺激信号の形状に大きな自由度を与え、他方で望まない反応を確実に抑える、電極装置を特定する。【解決手段】本発明は、生体物質１６に刺激信号を与えることができる少なくとも１個の刺激電極１２を有する、生体物質１６に電気的刺激を与える電極装置１０に関する。さらに、刺激電極１２に対するカウンタポールを形成する少なくとも１個の対極１４を有する。本発明は、さらに、刺激電極１２を横切る分極電圧を決定できる少なくとも１個のセンサ電極１８が設けられていることを特徴とする。【選択図】図１
2005505388.tif 000002
【特許請求の範囲】
【請求項１】
生体物質（１６）に刺激信号を与えることができる少なくとも１個の刺激電極（１２）を有しており、且つ上記刺激電極（１２）に対するカウンタポールを形成する少なくとも１個の対極（１４）を有しており、さらに、上記刺激電極（１２）を横切る分極電圧を決定できる少なくとも１個のセンサ電極（１８）が設けられている、生体物質（１６）に電気的刺激を与えるための電極装置。
【請求項２】
少なくとも２個の入力部、すなわち上記刺激電極（１２）に接続された第１入力部と、上記センサ電極（１８）に接続された第２入力部とを有する差動素子（２８）をさらに含む、請求項１に記載の電極装置。
【請求項３】
決定された分極電圧の関数として刺激信号を遮断する遮断器（２０）をさらに含む、請求項１または２に記載の電極装置。
【請求項４】
上記遮断器（２０）は、上記刺激電極（１２）と上記対極（１４）とを短絡させる切り替えスイッチである、請求項３に記載の電極装置。
【請求項５】
刺激信号の少なくとも１個のパラメータを、決定された分極電圧の関数として変化させる制御ループ（２８、３０、３４）をさらに含む、請求項１ないし４のいずれかに記載の電極装置。
【請求項６】
分極電圧の最大値を保存できるメモリ（３６）をさらに含む、請求項１ないし５のいずれかに記載の電極装置。
【請求項７】
上記メモリ（３６）に対しワイヤレスに（３８）書き込みおよび／または読み取りができる、請求項６に記載の電極装置。
【請求項８】
上記センサ電極（１８）が上記刺激電極（１２）のすぐ近くに配置されている、請求項１ないし７のいずれかに記載の電極装置。
【請求項９】
上記センサ電極（１８）が上記刺激電極（１２）に隣接して配置されている、請求項１ないし８のいずれかに記載の電極装置。
【請求項１０】
上記センサ電極（１８）が上記刺激電極（１２）と同心円状に配置されている、請求項１ないし９のいずれかに記載の電極装置。
【請求項１１】
上記センサ電極（１８）が上記刺激電極（１２）を少なくとも部分的に包囲している、請求項１ないし１０のいずれかに記載の電極装置。
【請求項１２】
上記センサ電極（１８）が上記刺激電極（１２）のカットアウトに配置されている、請求項１ないし１０のいずれかに記載の電極装置。
【請求項１３】
上記センサ電極（１８）と上記刺激電極（１２）とがプラナー構造である、請求項１ないし１２のいずれかに記載の電極装置。
【請求項１４】
上記センサ電極（１８）が上記刺激電極（１２）に比べて小さい、請求項１ないし１３のいずれかに記載の電極装置。
【請求項１５】
上記センサ電極（１８）と上記刺激電極（１２）とが同じ材料から製造されている、請求項１ないし１４のいずれかに記載の電極装置。
【請求項１６】
複数の刺激電極（１２）と複数のセンサ電極（１８）とが共通の基板（４２）上に配置されている、請求項１ないし１５のいずれかに記載の電極装置。
【請求項１７】
各刺激電極（１２）の領域内に少なくとも１個のセンサ電極（１８）が配置されている、請求項１６に記載の電極装置。
【請求項１８】
共通の基板（４２）上に配置された複数の刺激電極（１２）と複数のセンサ電極（１８）とを有する、請求項１ないし１７のいずれかに記載の電極装置に使用するための多電極アレイ。
【請求項１９】
請求項１ないし１７のいずれかに記載の電極装置を有する、網膜インプラント。
【請求項２０】
請求項１ないし１７のいずれかに記載の電極装置を有する、神経インプラント。
【発明の詳細な説明】
【技術分野】
【０００１】
本発明は、生体物質に刺激信号を与えることができる少なくとも１個の刺激電極と、前記刺激電極に対するカウンタポールを形成する少なくとも１個の対極とを有する、生体物質に電気的刺激を与える電極装置に関する。
本発明はさらにそのような電極装置において使用される多電極アレイに関する。
【背景技術】
【０００２】
前記タイプの電極装置および対応する多電極アレイは、たとえば下記特許文献１に開示されている。
下記特許文献１は、いわゆる網膜インプラント、すなわち眼の網膜領域に挿入されるべきインプラントについて説明している。網膜インプラントは、この分野における方法で配置された多数の刺激電極を有しており、それらにより人工的に発された刺激信号が網膜内の特定身体細胞に与えられる。これらの刺激信号は、光感知素子を介して発される。網膜インプラントは、多数のこのような光感知素子を有している。前記インプラントは、たとえば網膜色素変性症を患った結果視力を失った人々に少なくともある程度の視力を回復させるためのものである。
【０００３】
インプラント手術後、前記網膜インプラントの刺激電極は、周囲の細胞組織および細胞組織領域に存在する体液と直接接触している。金属電極と電解液との間の相転移において通常生じるように、いわゆるヘルムホルツ二重層が電極と細部組織および体液とのインタフェースに形成される。この層が形成されるのは、前記物質内に異なるタイプの電荷移動が起こるためである。ヘルムホルツ二重層は、第１近似として細胞組織の刺激により再充電される電気キャパシタを構成する。この効果は当業者に、特に電極分極として知られている。分極電圧として下記に記述される電圧が、この時充電電極キャパシタを横切って存在する。
【０００４】
分極電圧がある閾値を超えると、望まないレドックス反応が起きて、修復不可能な組織損傷をもたらす。これを防ぐための種々の方法が先行技術において知られている。
下記特許文献１においては、刺激電極と少なくとも１個の対極（そこではグランドコンダクタと呼ばれている）との間に大きいレジスタを配置して、このレジスタを介して分極電圧を低減することが提案されている。さらに別の解決法として、分極化傾向のきわめて小さいバリウムチタネートまたはイリジウムで電極をコーティングすることが提案されている。さらに、インタフェースキャパシタが常に繰り返し放電されるように、平均値がゼロである矩形波の交流信号で、電気刺激を行うようにされている。
【０００５】
ドイツの本である下記非特許文献１において、前記問題に関してインタフェースにおける迅速な電荷減少を達成するために、刺激電極と対極とをいわゆるオートショートスイッチにより循環的に短絡することが提案されている（下記非特許文献１の４９頁）。
望まない反応を避けるための他のアプローチは、分極電圧を最小にするために相転移のキャパシタンスを電極面の形状によりできるだけ大きくすることである。さらに、特にパルス持続時間やパルス振幅のような刺激信号のパラメータの大きさを、最悪の場合の条件下でも望まない反応を避けるように選択することができる。最後に、刺激信号のパルス持続時間およびパルス振幅から分極電圧を計算し、それらの結果に基づいて刺激を制御することは原則的に可能である。
【０００６】
しかしながら、公知のどの方法も最適ではない。正確にいえば、上記最後の方法も、特に過渡プロセスが検知されるが、時と共に生じる静電電極分極が計算に入れられないという欠点を有している。したがって、実際には大きさの調節においては安全のための予備を計算に入れることが必要であり、このことは、細胞組織の最適な刺激を依然として困難にしている。
【０００７】
インタフェースキャパシタの正常な、すなわち連続的な放電は、刺激信号の時間的な大きさ調節における自由度を損なう。同様に、ゼロポイント対称交流信号を使用すると、形状の自由が抑制される。さらに、いくつかの方法は、１個または数個の電極の領域における望まない反応を防止するには、確かに適している。しかしながら、複数の電極すなわち多電極アレイが、たとえば網膜インプラントにおけるような細胞組織の刺激に使用されると、望まない反応を避けるためのリアルタイムのモニタリングは非常に複雑になる。
【特許文献１】
米国特許第４，６２８，９３３号明細書
【特許文献２】
独国特許出願公開１９９ ２１ ３９９号明細書
【特許文献３】
独国特許出願公開１９７ ０５ ９８８号明細書
【特許文献４】
独国特許出願公開１９５ ２９ ３７１号明細書
【非特許文献１】
Armin Boltz著「Die Bedeutung der Phasengrenze zwischen alloplastischen Festkoerpern und biologischen Geweben fuer die Elektrostimulation」（「電気刺激のための環境変容性個体と生体組織との間のインタフェースの重要性」）１９９４年 Fachverlag Schiele und Schoen 社刊
【発明の開示】
【発明が解決しようとする課題】
【０００８】
上記を考慮して、本発明の目的は、一方で刺激信号の形状に大きな自由度を与え、他方で望まない反応を確実に抑える、上記最初に述べたタイプの電極装置を特定することである。
【課題を解決するための手段】
【０００９】
この目的は、さらに、少なくとも１個のセンサ電極を含み、それによって刺激電極を横切る分極電圧を決定できる、上記最初に述べたタイプの電極装置により達成できる。
本発明による電極装置は、多数の刺激電極と多数のセンサ電極とが共通の基板上に配置されている多電極アレイと組み合わせると特に有利である。
上記多数のアプローチとは異なり、ここに提案した解決法は、刺激信号を得られた実際の測定結果の関数として適切に制御できるように、刺激電極を横切る実際の分極をできるだけ正確に且つリアルタイムに検知するというアイデアに基づいている。このアプローチはまず、刺激電極の領域で制御を行うことなく且つ望まない反応のリスクを増すことなく、刺激信号の大きさ決定において高度に自由な形状を可能にする。従来のすべてのアプローチは意図的にまたは意図せずに追加電極によるさらに別のインタフェースの形成を避けたが、それは結局、望まない反応の基本的原因であり、本発明はこのアプローチを正確に採用した。つまり、驚くべきことに、形状の新しい可能性が、以前に予期されていた欠点を非常に適切に償うことが示された。
【００１０】
特に、インタフェースを通る電流を減らすか大きく抑制すると、インタフェース面追加の結果として当然のこととして予期されていたリスクが実質的に減少することが示された。分極電圧の決定もまた感知できるほどの電流なしに実施できるので、このことは確かに本発明のセンサ電極に関するきわめて好ましい可能性を示す。したがって、驚くべきことには、望まないレドックス反応のリスクを増すことなしに本発明のセンサ電極を使用できる。
【００１１】
刺激電極を横切る分極電圧が、組織に接触する追加センサ電極により決定できるとは、これまで予期されていなかった。
特に、多電極アレイとの組み合わせにより、本発明による解決法は、望まないレドックス反応がリアルタイムに避けられるので、細胞組織の損傷も特に確実に避けられるという利点を有する。さらに、この場合、電極分極の静電成分が確実に検知できるので、さらに安全性が増す。
【００１２】
さらに他の利点は、刺激信号が、長期的インプラントの接触状態の緩慢な変化に適応できることである。接触状態の変化は、たとえば刺激の結果として電極領域に線維組織が形成されるときに生じる。
さらに、本発明によるセンサ電極もまた、まず、望まない反応の防止とは独立して、特にリアルタイムに且つ実際の環境条件の関数として、刺激信号の正確な制御ができる。したがって、目標通りに且つ処方した通りに組織の刺激ができる。
【００１３】
本発明の一実施形態において、電極装置はさらに、少なくとも２個の入力部、すなわち刺激電極に接続された第１入力部とセンサ電極に接続された第２入力部とを有する差動素子を含む。
差動素子は、好ましくは公知の回路エンジニアリングで使用される差動増幅器である。そのような差動増幅器の高抵抗入力は、分極電圧および追加分極電圧の決定において電流をきわめて大きく減少させ、センサ電極を横切る測定信号のずれを防ぎ、したがって前記にすでに述べた利点が特に強力に実現する。さらに、この手段によれば、差動素子が直接的に且つ別の計算段階なしに刺激電極を横切る適切な分極電圧を提供するという利点がある。その結果、電極分極を簡単で効果的な方法によりリアルタイムにモニタできる。
【００１４】
さらに別の実施形態において、電極装置はさらに、決定された分極電圧の関数として刺激信号を遮断する遮断器を含む。
この手段により実際に、電極分極が臨界値に達するとすぐに外部から加えられた刺激信号を遮断するための緊急停止スイッチを実施できる。それにより望まないレドックス反応がさらに確実に抑制され得る。
【００１５】
上記手段の他の実施形態において、遮断器は、刺激電極と対極とを短絡させる切り替えスイッチである。
この手段により、臨界閾値に達したとき、電極分極を特に迅速に低減することができ、その結果装置の信頼性をさらに増すことができる。
他の実施形態において、電極装置はさらに、決定された分極電圧の関数として、刺激信号の少なくとも１つのパラメータを変化させる制御ループを含む。
【００１６】
この手段は、望まないレドックス反応を避けるために刺激信号を突然切断することよりも、刺激信号の最適設定を行うことに重きを置いている。特に、刺激信号自体のパルス持続時間またはパルス振幅およびダイナミックレンジなどのパラメータを非常に正確に設定できる。この手段によれば、細胞組織の実際の刺激を最適の作動範囲で実施でき、同時に望まないレドックス反応を確実に防ぐことができる。したがって、刺激信号の突然の切断の大部分を避けることができる。
【００１７】
さらに他の実施形態において、電極装置は、分極電圧の最大値を保存できるメモリを含む。このメモリは、ワイヤレスで書き込みおよび／または読み取りができることが好ましい。
この手段は、分極電圧の最大許容最高値を簡単に保存でき、電極装置を患者の個別の要件に容易に適用できるという利点を有する。保存された最大値は特に参照閾値として使用でき、この閾値を超えると上記の遮断器が刺激信号の緊急切断を行う。これとは別に、またはこれに加えて、電極装置の作動中に、メモリに分極電圧のそれぞれの最高値を書き込みできる。この手段によって、実施された刺激の後ほどの制御や文書化が可能になる。たとえば網膜インプラントの場合のように電極装置を人体に永久的にインプラントする場合には、メモリのワイヤレス接続が特に好ましい。この場合、外部からのメモリへのアクセスは簡単にできる。
【００１８】
他の実施形態において、センサ電極は刺激電極のすぐ近くに配置されている。
この手段により、刺激電極の臨界分極の特に正確な決定が可能となる。したがって、刺激信号を、非常に小さい公差を有する最適範囲内へ導くことができる。
他の実施形態において、センサ電極は刺激電極に隣接して配置されている。
この手段は、製造技術に関して非常に簡単であり、したがって本発明の装置をコストの面で効果的に実施できる。
【００１９】
他の実施形態において、センサ電極は刺激電極と同心（同軸）円状に配置されている。
この手段は、刺激電極の分極を、センサ電極により、できるだけ正確に且つ刺激電極の有効活性面積に関して妥協することなく検知するために特に有利である。上記にすでに説明したように、大きいインタフェースキャパシタは、電極分極を最小化するのに有利である。次に、大きいインタフェースキャパシタは刺激電極の最大可能面積により達成される。同心円状配置は、刺激電極の大きい面積の要件とセンサ電極の特にコンパクトでありながら限定的でない配置の要件との最適な組み合わせを可能にする。
【００２０】
他の実施形態において、センサ電極は、少なくとも部分的に刺激電極を包囲している。
センサ電極が刺激電極を包囲する薄いリングであると、特に好ましい。これによって、電極装置を上記のパラメータに関して特に有効に最適化できる。
これに替わる実施形態において、センサ電極は刺激電極のカットアウトに配置されている。
【００２１】
これもまた、センサ電極の最適な配置と刺激電極の最適化とに関して非常に適している。
さらに他の実施形態において、センサ電極と刺激電極とはプラナー構造である。
プラナー構造は、多数の電極をコスト面で有効に製造できるので、これは多電極アレイに関して特に有利である。前記の有利な改善は、特に、簡単でコスト面で有利に実施できる。
【００２２】
さらに他の実施形態において、センサ電極は刺激電極と比較して小さい。
この場合、サイズの設計は、主に、センサ電極の活性面積または刺激電極の活性面積に関係している。センサ電極が小さければ小さいほど、刺激電極のために使用できるスペースが大きくなり、その結果、上記の有利な大きいキャパシタを得ることができる。さらに、小さいセンサ電極の場合、細胞組織の刺激は悪い影響を受けない。
【００２３】
さらに他の実施形態において、センサ電極および刺激電極は、同じ材料から製造される。
これによって、上記２つの電極を共通の製造段階において製造できるので、このことは、特に製造コストに関して有利である。さらに、２つの電極間の電気化学的電圧は避けられるが、そうでなければ、この電圧のいくらかは、測定信号および刺激信号の両方に悪い影響を与える。
【００２４】
さらに他の実施形態において、共通基板上に多数の刺激電極と多数のセンサ電極とが配置されている。
この手段は同様に、本発明による装置を特にコスト面において有効で合理的な製造を可能にする。
上記手段のさらに他の実施形態において、少なくとも１個のセンサ電極が各刺激電極の領域内に配置されている。
【００２５】
この手段により、刺激信号の特に正確な制御が可能となる。この手段は、多電極アレイの場合に、およびさらに上記の幾何学的電極形状と組み合わせると、特に有利である。
上記の手段およびさらに下記に説明したものは、それぞれ特記した組み合わせだけでなく、本発明の範囲から離れることなく他の組み合わせまたはそれ自体で使用できることはいうまでもない。
【００２６】
本発明の実施形態は添付図面に示されており且つ下記の文章に詳細の説明されている。
【発明を実施するための最良の形態】
【００２７】
本発明の電極装置は、図１において、全体として参照番号１０で示されている。
電極装置１０は、プラナー技術を用いて製造された刺激電極１２を含む。しかしながら、本発明は、これに限定されるものではない。他の実施形態において、刺激電極およびセンサ電極は、「３−Ｄ配置」され、すなわち互いにオフセットな面において配置されている。参照番号１４は、刺激電極１２のためのカウンタポール（グランド）を形成する対極を示す。２個の電極１２、１４は、生体物質、この例の場合では細胞組織１６をそれ自体公知の方法で電気的に刺激するためのものである。
【００２８】
本発明の好ましい実施形態において、細胞組織１６は人間の眼の網膜領域における組織である。刺激電極１２および下記に説明する電極装置１０の他の構成部分は、この場合、網膜上または網膜下において患者の眼にインプラントされている。
他の好ましい実施形態において、細胞組織１６は、脳または末梢神経系領域の組織である。
【００２９】
本発明によれば、参照番号１８は、刺激電極１２の間近に、しかしそれとは独立して配置されたセンサ電極を示している。センサ電極１８の面積は、刺激電極１２の面積に比べて小さい。
参照番号２０は、刺激電極１２を２つの択一的な電位の１つに任意に接続する切り替えスイッチを示す。参照番号２２は、対極の永久電位と等しいグランド電位を示す。センサ電極１８により刺激電極１２の臨界分極が検知されたとき、切り替えスイッチ２０は、刺激電極１２をグランド電位２２に接続する。このようにして、細胞組織１６領域における望まないレドックス反応を防ぐために、刺激電極１２の臨界分極をきわめて迅速に低減することができる。
【００３０】
別の第２スイッチ位置において、切り替えスイッチ２０は刺激電極１２を信号増幅器２４の出力部に接続する。信号増幅器２４の入力部２６には、刺激信号を入力できる。電極装置１０の適切な作動における通常の場合、切り替えスイッチ２０はこのスイッチ位置にされる。
電極装置１０が網膜インプラントの構成部分である好ましい実施形態において、刺激信号は光感知素子（ここには図示されていないマルチフォトダイオードアレイ）により生成される。このような網膜インプラントの基本的設計は、たとえば上記特許文献２、上記特許文献３または上記特許文献４から理解される。網膜インプラントのさらに詳細な部分について、ここではこれらを全面的に参照する。
【００３１】
参照番号２８は、差動増幅器を示す。この差動増幅器の第１入力部に、センサ電極１８によりピックアップされた電圧Ｕseが存在する。第２入力部に存在するのは信号増幅器２４の出力信号であり、それは、電極装置１０の通常の作動における刺激電極１２の作動電圧Ｕstに対応する。差動増幅器２８は、２つの電圧ＵseとＵstとの差を形成し、これは適切な分極電圧Ｕp（Ｕp＝Ｕst−Ｕse）に対応する。差動増幅器２８の出力、すなわち特定分極電圧Ｕpは、コンパレータ３０の第１入力部に入力される。その第２入力部３２に存在するのは、図の好ましい実施形態においては最大許容分極電圧Ｕpmaxを構成する参照電圧である。コンパレータ３０の出力信号は、切り替えスイッチ２０のスイッチ位置を決定する。さらに、それは、本発明の好ましい実施形態において、信号増幅器２４のゲイン、そのダイナミックレンジまたは他の適切なパラメータをも決定する。この依存性は、図１の信号タップ３４により示されている。この結果、刺激信号の最適設定のための制御ループが得られる。
【００３２】
図１の実施形態とは異なる実施形態において、信号タップ３４はまた、差動増幅器２８の出力部において直接取り出すことができる。この場合、信号増幅器２４のための制御信号は、決定された分極電圧に直接比例し、すなわち、それはコンパレータにより「デジタル化」されない。
参照番号３６は、ここではワイヤレスで外から書き込みおよび読み取りができるメモリを示している。これは矢印３８により示されている。分極電圧の最大許容最高値Ｕpmaxは、ここでメモリ３６に保存される。さらに、それぞれ測定された分極電圧の最高値Ｕpまたは図１に示されているように、コンパレータ３０の出力信号は、後に刺激のモニタリングおよび文書化ができるように、メモリ３６に保存される。
【００３３】
電極装置１０は、刺激信号の種々の制御および調整を可能にする。たとえば、刺激電極１２を横断して存在する電圧がキャパシタの公知の充電曲線に応じて上昇する状態において、細胞組織１６を電流パルスにより刺激することができる。刺激電極１２の分極が最大許容値Ｕpmaxを超えたとき、センサ電極１８と差動増幅器２８とを用いて、電流パルスをスイッチオフすることができる。この場合、電極装置１０は、いわば安全回路を含んでいる。
【００３４】
別の適用例において、電極装置１０は、むしろ、最適刺激信号を設定するための適合回路として作用する。センサ電極１８によりそれぞれ現在の分極電圧Ｕpを決定することにより、刺激信号の最大許容パラメータ（振幅、パルス持続時間等）を決定および設定できる。いくつかの適用例において、差動増幅器２８の出力信号もまた、外部調整および測定回路のための測定値として利用できるように、この場合はタップ（ここでは独立して図示せず）を介して外部に導かれる。
【００３５】
網膜インプラントへの電極装置１０の好ましい適用例において、差動増幅器２８の出力信号はまた、作動点およびしたがって光感知素子の光感度を設定するために用いると有利である。上記特許文献２による網膜インプラントの場合に、そこに記載されている参照要素の作動点もまたこのような方法で有利に設定できる。
電極装置１０は、好ましくはＣＭＯＳ技術により製造され、そのある部分は、使用されるアナログ部品に基づいて非常に簡単に且つコスト上有効に製造できる。
【００３６】
刺激電極１２とセンサ電極１８との好ましい実施形態が、図２〜図４に示されている。この場合の参照番号は、図１の参照番号と対応する。図２のセンサ電極１８は刺激電極１２と比べて小さく、刺激電極１２に隣接して配置されているパッチである。図３において、センサ電極１８は、薄い環の形状で刺激電極１２を同心（同軸）円状に包囲している。図４において、センサ電極１８は、刺激電極１２の中心の切り込み（カットアウト）の中心に配置されている。この場合、刺激電極１２はセンサ電極１８を同心（同軸）円状に包囲している。
【００３７】
刺激電極１２は、これら３つの場合のすべてにおいて円として示されている。このようなデザインは実際に有利であることが判明している。しかしながら、さらに、他の形状たとえば四角形の電極面もまた可能である。この場合のセンサ電極１８は、それに合わせて適切に構成された形状を有する。
図５において、本発明による多電極アレイは全体として参照番号４０で示されている。好ましい実施形態による網膜インプラントの構成部である多電極アレイは、その上に複数の刺激電極１２とセンサ電極１８とが配置された基板４２を含む。さらに、基板４２には、それ自体公知の方法でＣＭＯＳ構造４４が埋設されており、それによって、切り替えスイッチ２０、信号増幅器２４、差動増幅器２８、コンパレータ３０および他の詳細には図示されていない回路構成部が実施される。網膜インプラントの場合、基板４２（チップ）は、光感知素子と、さらに必要な制御エレクトロニクスとをさらに含む。
【００３８】
上記の実施形態は、主に網膜インプラントの好ましい適用例に関して説明されているが、本発明の電極装置は、生体物質を刺激する何らかの他の適用例においても有利に使用できる。特に、刺激または診断目的で生体外において使用されるマイクロ電極アレイに有利に使用できる。本発明の電極装置の利点は、この場合、刺激電極の数およびしたがってパッキング密度が大きいほど、さらに大きくなる。
【図面の簡単な説明】
【００３９】
【図１】本発明による好ましい電極装置の回路図である。
【図２】刺激電極およびセンサ電極の好ましい実施形態を示す。
【図３】刺激電極およびセンサ電極の好ましい実施形態を示す。
【図４】刺激電極およびセンサ電極の好ましい実施形態を示す。
【図５】図１に示した本発明の電極装置に、プラナーＣＭＯＳ技術を用いた多電極アレイの略図である。
【図１】
2005505388.tif 000003
【図２】
2005505388.tif 000004
【図３】
2005505388.tif 000005
【図４】
2005505388.tif 000006
【図５】
2005505388.tif 000007
【国際公開パンフレット】
2005505388.tif 000008
2005505388.tif 000009
2005505388.tif 000010
2005505388.tif 000011
2005505388.tif 000012
2005505388.tif 000013
2005505388.tif 000014
2005505388.tif 000015
2005505388.tif 000016
2005505388.tif 000017
2005505388.tif 000018
2005505388.tif 000019
2005505388.tif 000020
2005505388.tif 000021
2005505388.tif 000022
2005505388.tif 000023
2005505388.tif 000024
2005505388.tif 000025
2005505388.tif 000026
2005505388.tif 000027
2005505388.tif 000028
2005505388.tif 000029
2005505388.tif 000030
2005505388.tif 000031
2005505388.tif 000032
2005505388.tif 000033
2005505388.tif 000034
【国際調査報告】
2005505388.tif 000035
2005505388.tif 000036
2005505388.tif 000037
2005505388.tif 000038
2005505388.tif 000039
2005505388.tif 000040